(57)【要約】【課題】ユーザーのアクションに反応して画像を変化させることができるとともに、その変化内容をユーザーが設定可能な画像表示装置及びプログラムを提供する。【解決手段】画像表示装置１は、表示部１１と、表示部１１に画像を表示させるＣＰＵ１８と、ユーザーによる所定の音声入力を検知する音声センサ１７１とを備える。ＣＰＵ１８は、表示部１１に表示される画像内の所定の領域、及び当該所定の領域が変化する所定の態様を、変化領域Ｒ及び変化態様としてユーザー操作に基づいて設定する。ＣＰＵ１８は、表示部１１に画像が表示されている間、音声センサ１７１により所定の音声入力が検知された場合に、設定された上記変化領域Ｒを上記変化態様で変化させる。【選択図】図９
2012138035.tif 000002
【特許請求の範囲】
【請求項１】
表示手段と、
前記表示手段に画像を表示させる画像表示制御手段と、
前記表示手段に表示される画像内の所定の領域、及び当該所定の領域が変化する所定の態様を、変化領域及び変化態様としてユーザー操作に基づいて設定する画像変化設定手段と、
ユーザーによる所定の入力を検知する検知手段と、
前記画像表示制御手段により前記画像が表示されている間、前記検知手段により前記所定の入力が検知された場合に、当該画像内の前記変化領域を前記変化態様で変化させる画像変化表示制御手段と、
を備えることを特徴とする画像表示装置。
【請求項２】
前記画像変化設定手段は、前記変化領域及び前記変化態様と、前記所定の入力とを対応付けて記憶させ、
前記画像変化表示制御手段は、前記検知手段により検知された前記所定の入力に対応する前記変化領域及び前記変化態様を読み出して、当該変化領域を当該変化態様で変化させることを特徴とする請求項１に記載の画像表示装置。
【請求項３】
前記画像変化表示制御手段は、前記変化態様が前記変化領域を反復動作させる変化である場合に、前記所定の入力が検知されてからの時間の経過に伴って当該変化領域の反復移動幅を徐々に減少させ、所定時間の経過後に元の静止画像を表示させることを特徴とする請求項１又は２に記載の画像表示装置。
【請求項４】
前記所定の入力は、所定の音声入力であることを特徴とする請求項１〜３の何れか一項に記載の画像表示装置。
【請求項５】
表示手段と、ユーザーによる所定の入力を検知する検知手段とを備えるコンピュータに、
前記表示手段に画像を表示させる画像表示制御機能と、
前記表示手段に表示される画像内の所定の領域、及び当該所定の領域が変化する所定の態様を、変化領域及び変化態様としてユーザー操作に基づいて設定する画像変化設定機能と、
前記画像表示制御機能により前記画像が表示されている間、前記検知手段により前記所定の入力が検知された場合に、当該画像内の前記変化領域を前記変化態様で変化させる画像変化表示制御機能と、
を実現させることを特徴とするプログラム。
【発明の詳細な説明】
【技術分野】
【０００１】
本発明は、画像表示装置及びプログラムに関する。
【背景技術】
【０００２】
近年、各種画像を表示可能なデジタルフォトフレーム等の画像表示装置が広く普及している。この種の画像表示装置においては、単純に画像を表示させるだけでなく、何がしか興趣を高めることのできる画像表示手法が望まれている。
【０００３】
そこで、例えば特許文献１では、画面に表示されたキャラクターがユーザーの音声に反応して所定の動作を行うように、キャラクターの画像を変化させることができるキャラクター表示装置が提案されている。
【先行技術文献】
【特許文献】
【０００４】
【特許文献１】特開２０００−１８１８９７号公報
【発明の概要】
【発明が解決しようとする課題】
【０００５】
しかしながら、上記特許文献１に記載の技術では、特定のキャラクターが特定の動作を行うように画像の変化内容が予め決定されており、任意の画像に対して変化内容をユーザーが設定することはできなかった。
【０００６】
本発明の課題は、ユーザーのアクションに反応して画像を変化させることができるとともに、その変化内容をユーザーが設定可能な画像表示装置及びプログラムを提供することである。
【課題を解決するための手段】
【０００７】
前記の課題を解決するために、請求項１に記載の発明は、画像表示装置において、
表示手段と、
前記表示手段に画像を表示させる画像表示制御手段と、
前記表示手段に表示される画像内の所定の領域、及び当該所定の領域が変化する所定の態様を、変化領域及び変化態様としてユーザー操作に基づいて設定する画像変化設定手段と、
ユーザーによる所定の入力を検知する検知手段と、
前記画像表示制御手段により前記画像が表示されている間、前記検知手段により前記所定の入力が検知された場合に、当該画像内の前記変化領域を前記変化態様で変化させる画像変化表示制御手段と、
を備えることを特徴とする。
【０００８】
請求項２に記載の発明は、請求項１に記載の画像表示装置において、
前記画像変化設定手段は、前記変化領域及び前記変化態様と、前記所定の入力とを対応付けて記憶させ、
前記画像変化表示制御手段は、前記検知手段により検知された前記所定の入力に対応する前記変化領域及び前記変化態様を読み出して、当該変化領域を当該変化態様で変化させることを特徴とする。
【０００９】
請求項３に記載の発明は、請求項１又は２に記載の画像表示装置において、
前記画像変化表示制御手段は、前記変化態様が前記変化領域を反復動作させる変化である場合に、前記所定の入力が検知されてからの時間の経過に伴って当該変化領域の反復移動幅を徐々に減少させ、所定時間の経過後に元の静止画像を表示させることを特徴とする。
【００１０】
請求項４に記載の発明は、請求項１〜３の何れか一項に記載の画像表示装置において、
前記所定の入力は、所定の音声入力であることを特徴とする。
【００１１】
請求項５に記載の発明は、プログラムにおいて、
表示手段と、ユーザーによる所定の入力を検知する検知手段とを備えるコンピュータに、
前記表示手段に画像を表示させる画像表示制御機能と、
前記表示手段に表示される画像内の所定の領域、及び当該所定の領域が変化する所定の態様を、変化領域及び変化態様としてユーザー操作に基づいて設定する画像変化設定機能と、
前記画像表示制御機能により前記画像が表示されている間、前記検知手段により前記所定の入力が検知された場合に、当該画像内の前記変化領域を前記変化態様で変化させる画像変化表示制御機能と、
を実現させることを特徴とする。
【発明の効果】
【００１２】
本発明によれば、表示手段に表示される画像内の所定の領域、及び当該所定の領域が変化する所定の態様が、変化領域及び変化態様としてユーザー操作に基づいて設定され、表示手段に画像が表示されている間、ユーザーによる所定の入力が検知された場合に、画像内の上記変化領域が上記変化態様で変化する。したがって、特定の画像についての変化領域やその変化態様といった画像の変化内容が予め決められていた従来と異なり、表示手段に表示された画像をユーザーのアクションに反応させて、ユーザーが設定した変化内容で変化させることができる。
【図面の簡単な説明】
【００１３】
【図１】本実施形態における画像表示装置の正面図である。
【図２】画像表示装置の概略構成を示すブロック図である。
【図３】画像内変化データを説明するための図である。
【図４】画像内変化登録処理の流れを示すフローチャートである。
【図５】画像内変化登録処理における変化領域設定処理の流れを示すフローチャートである。
【図６】画像内変化実行処理の流れを示すフローチャートである。
【図７】画像内変化登録処理での表示部の表示内容を示す図である。
【図８】画像内変化登録処理での表示部の表示内容を示す図である。
【図９】画像内変化実行処理での表示部の表示内容を示す図である。
【図１０】画像内変化実行処理での表示部の表示内容を示す図である。
【発明を実施するための形態】
【００１４】
以下、添付図面を参照して本発明に係る実施形態の一例を詳細に説明する。但し、発明の範囲は図示例に限定されない。
【００１５】
［１  構成］
図１は、本実施形態における画像表示装置１の正面図であり、図２は、画像表示装置１の概略構成を示すブロック図である。
図１に示すように、画像表示装置１は、卓上等に設置されるデジタルフォトフレームであり、外部機器（例えば、デジタルカメラ等）等から画像データを取得し、取得した画像データに基づく表示を行うようになっている。特に、画像表示装置１は、ユーザー操作に基づいて、表示した画像内の所定の領域を所定の変化態様で変化させることができるようになっている。
【００１６】
具体的には、画像表示装置１は、図２に示すように、表示部１１と、入力部１２と、通信部１３と、記憶媒体読取部１４と、ＲＯＭ１５と、ＲＡＭ１６と、検知部１７と、ＣＰＵ１８等とを備えて構成されている。
【００１７】
表示部１１は、例えば、液晶ディスプレイ（ＬＣＤ）や有機エレクトロルミネッセンス（Electro-Luminescence：ＥＬ）ディスプレイ等からなり、ＣＰＵ１８からの表示信号に従って各種情報を表示するようになっている。また、表示部１１は、いわゆるタッチパネル１２２と一体的に形成されており、ユーザーのタッチ操作による入力を受け付けるようになっている。
【００１８】
入力部１２は、例えば、画像データの選択、送り操作等を行うためのカーソルキーや決定キー、表示部１１による表示を終了させる表示終了キー等の各種機能キーからなるキー操作部１２１を備えており、ユーザにより操作されたキーの操作信号をＣＰＵ１８に出力するようになっている。なお、図１では、キー操作部１２１の図示を省略している。
また、入力部１２は、上述のタッチパネル１２２を備えており、ユーザーによるタッチ操作に対応する信号をＣＰＵ２０に出力するようになっている。
【００１９】
通信部１３は、他の電子機器との間でデータ通信を行うものであり、本実施形態においては、ＲＯＭ１５内の情報を送受信できるようになっている。
【００２０】
記憶媒体読取部１４は、カードスロット１４０を備えており、当該カードスロット１４０に装着された外部情報記憶媒体１４ａから情報を読み出したり、当該外部情報記憶媒体１４ａに情報を記録したりするようになっている。なお、この外部情報記憶媒体１４ａには、ＲＯＭ１５やＲＡＭ１６内の情報を記録できるようになっている。
【００２１】
ＲＯＭ１５は、画像表示装置１の各種機能を実現するためのプログラムやデータを記憶するメモリである。本実施形態においては、ＲＯＭ１５は、画像内変化登録プログラム１５１と、画像内変化実行プログラム１５２と、画像ファイルデータベース１５３等とを有している。
【００２２】
画像内変化登録プログラム１５１は、後述の画像内変化登録処理（図４参照）をＣＰＵ１８に実行させるためのプログラムである。
画像内変化実行プログラム１５２は、後述の画像内変化実行処理（図６参照）をＣＰＵ１８に実行させるためのプログラムである。
画像ファイルデータベース１５３には、外部機器等から取得された画像データがファイルごとに格納されるようになっている。
【００２３】
ＲＡＭ１６は、ＣＰＵ１８が実行する各種プログラムや、これらプログラムの実行に係るデータ等を一時的に保持するメモリ領域を備えており、本実施形態においては、画像内変化データ記憶領域１６１を有している。この画像内変化データ記憶領域１６１には、後述の画像内変化登録処理（図４参照）において、表示部１１に表示された画像を変化させるための各種情報から構成された画像内変化データＤが格納されるようになっている。
【００２４】
画像内変化データＤは、図３に示すように、画像ファイルデータベース１５３内の特定の画像データ（ファイル）へのリンク情報である画像ファイルリンク情報と、画像内のうち変化を生じさせる変化領域Ｒ（図８（ａ）参照）に関する変化領域情報と、変化領域Ｒの変化態様に関する変化態様情報と、変化領域Ｒの変化を開始させる入力に関する変化開始条件情報とを有している。このうち、変化領域情報は、変化領域Ｒの中心位置や形状，傾斜角度等に関する情報を含んでいる。
【００２５】
検知部１７は、図２に示すように、ユーザーによる所定の入力等を検知してＣＰＵ１８に出力するものであり、音声センサ１７１と、振動センサ１７２と、方位センサ１７３と、測位センサ１７４とを有している。音声センサ１７１は、外部の音声を検知する。振動センサ１７２は、画像表示装置１に加えられる振動を検知する。方位センサ１７３は、画像表示装置１の表示部１１が向いている方位（方角）を検知する。測位センサ１７４は、いわゆるＧＰＳ（Global Positioning System）受信機であり、画像表示装置１の現在位置を検知する。
【００２６】
ＣＰＵ１８は、入力される指示に応じて所定のプログラムに基づいた処理を実行し、各機能部への指示やデータの転送等を行い、画像表示装置１を統括的に制御するようになっている。具体的には、ＣＰＵ１８は、入力部１２から入力される操作信号等に応じてＲＯＭ１５に格納された各種プログラムを読み出し、当該プログラムに従って処理を実行する。そして、ＣＰＵ１８は、処理結果をＲＡＭ１６に保存するとともに、当該処理結果を表示部１１に適宜出力させる。
【００２７】
［２  動作］
＜２．１  画像内変化登録処理の動作＞
続いて、表示部１１に表示される画像の変化内容を登録する際に行われる画像内変化登録処理について説明する。
図４は、画像内変化登録処理の流れを示すフローチャートであり、図５は、画像内変化登録処理における後述の変化領域設定処理の流れを示すフローチャートである。
【００２８】
まず、ユーザーによる入力部１２の操作により、画像データが選択されるとともに当該画像に対する画像内変化登録処理が開始されると、図４に示すように、ＣＰＵ１８は、選択された画像データを画像ファイルデータベース１５３から読み出して、その画像を表示部１１に表示させる（ステップＳ１）。なお、ここで表示される画像は静止画像である。
【００２９】
次に、ＣＰＵ１８は、表示部１１に表示された画像内のうち表示を変化させる変化領域Ｒ（図８（ａ）参照）を設定するための変化領域設定処理を行う（ステップＳ２）。
この変化領域設定処理では、図５に示すように、まず、ＣＰＵ１８は、ユーザーによる入力部１２の操作によって、画像内で矩形状の範囲の指定指示が入力されたか否かを判定し（ステップＳ２１）、入力されないと判定した場合には（ステップＳ２１；Ｎｏ）、当該ステップＳ２１を繰り返す。
【００３０】
ステップＳ２１でユーザーによる範囲指定指示が入力されたと判定した場合には（ステップＳ２１；Ｙｅｓ）、ＣＰＵ１８は、指定された矩形の指定範囲Ｒ0（図７（ｂ）参照）を破線で囲うなどして表示部１１に表示させる（ステップＳ２２）。なお、この時点での指定範囲Ｒ0の形状は、表示部１１の上下方向及び左右方向に平行な各辺からなる矩形（四角形）となっている。
【００３１】
次に、ＣＰＵ１８は、ユーザーにより指定範囲Ｒ0の形状種別の変更指示が入力されたか否かを判定する（ステップＳ２３）。ここでは、ユーザーは、入力部１２の操作によって、変更後の形状を台形や三角形，楕円形等から選択することで、指定範囲Ｒ0の形状変更指示を入力することができる。
【００３２】
ステップＳ２３で指定範囲Ｒ0の形状変更指示が入力されたと判定した場合には（ステップＳ２３；Ｙｅｓ）、ＣＰＵ１８は、表示部１１に表示された指定範囲Ｒ0の形状を、矩形から指定された形状に変形させる（ステップＳ２４）。一方、ステップＳ２３で指定範囲Ｒ0の形状変更指示が入力されないと判定した場合には（ステップＳ２３；Ｎｏ）、ＣＰＵ１８は、後述のステップＳ２５へ移行する。
【００３３】
次に、ＣＰＵ１８は、ユーザーにより指定範囲Ｒ0の回転指示が入力されたか否かを判定する（ステップＳ２５）。ここでは、ユーザーは、キー操作部１２１の操作により指定範囲Ｒ0内の回転中心位置と回転角度とを指定することで指定範囲Ｒ0の回転指示を入力してもよいし、タッチパネル１２２でのタッチ操作によって指定範囲Ｒ0の回転指示を入力してもよい。
【００３４】
ステップＳ２５で指定範囲Ｒ0の回転指示が入力されたと判定した場合には（ステップＳ２５；Ｙｅｓ）、ＣＰＵ１８は、表示部１１に表示された指定範囲Ｒ0を、入力された回転指示に基づいて回転させる（ステップＳ２６）。一方、ステップＳ２５で指定範囲Ｒ0の回転指示が入力されないと判定した場合には（ステップＳ２５；Ｎｏ）、ＣＰＵ１８は、後述のステップＳ２７へ移行する。
【００３５】
次に、ＣＰＵ１８は、ユーザーにより決定指示が入力されたか否かを判定し（ステップＳ２７）、入力されないと判定した場合には（ステップＳ２７；Ｎｏ）、上述のステップＳ２１へ移行する。また、決定指示が入力されたと判定した場合には（ステップＳ２７；Ｙｅｓ）、ＣＰＵ１８は、この時点での指定範囲Ｒ0を変化領域Ｒ（図８（ａ）参照）として設定し（ステップＳ２８）、変化領域設定処理を終了させる。
【００３６】
次に、ＣＰＵ１８は、図４に示すように、ユーザー操作に基づいて、変化領域Ｒが変化する態様を変化態様として設定し（ステップＳ３）、設定された変化態様で変化領域Ｒが変化した状態の画像を表示部１１にプレビュー表示させる。具体的には、ユーザーは、入力部１２の操作によって、変化領域Ｒの並進動作や回転動作，或いは色変化や拡大縮小等を、変化態様として設定することができる。また、変化領域Ｒを動作させる場合（並進動作，回転動作，拡大縮小等の場合）には、ユーザーは、当該動作として反復動作を選択することができ、このときには、変化領域Ｒを指定した反復移動幅で反復動作させることができる。
【００３７】
次に、ＣＰＵ１８は、ユーザー操作に基づいて、画像変化を開始させるための変化開始条件を設定する（ステップＳ４）。ここでは、ユーザーによる所定の入力が検知部１７によって検知されたときに画像変化が開始するように変化開始条件が設定される。具体的には、ユーザーは、音声センサ１７１により所定の音声入力が検知されたときか、振動センサ１７２により振動が検知されたときか、方位センサ１７３により画像表示装置１が所定の方位を向いたことが検知されたときか、測位センサ１７４により画像表示装置１が所定の測位に位置したことが検知されたときかの何れかを、変化開始条件として設定することができる。
【００３８】
次に、ＣＰＵ１８は、ステップＳ１で選択された画像データと、ステップＳ２で設定された変化領域Ｒと、ステップＳ３で設定された変化態様と、ステップＳ４で設定された変化開始条件とを対応付けて、これらに関する情報を画像内変化データＤとして画像内変化データ記憶領域１６１に記憶させる（ステップＳ５）。
【００３９】
次に、ＣＰＵ１８は、ユーザーにより画像内変化登録処理の終了指示が入力されたか否かを判定し（ステップＳ６）、入力されないと判定した場合には（ステップＳ６；Ｎｏ）、上述のステップＳ２に移行する。ここでステップＳ２〜Ｓ６を繰り返すことにより、単一の画像に対して複数の画像変化を登録することができる。
【００４０】
そして、ステップＳ６で画像内変化登録処理の終了指示が入力されたと判定した場合には（ステップＳ６；Ｙｅｓ）、ＣＰＵ１８は、画像内変化登録処理を終了させる。
【００４１】
＜２．２  画像内変化実行処理の動作＞
続いて、上述の画像内変化登録処理で登録された画像変化を実行する際に行われる画像内変化実行処理について説明する。
図６は、画像内変化実行処理の流れを示すフローチャートである。
【００４２】
この画像内変化実行処理では、図６に示すように、まず、ＣＰＵ１８は、ユーザーにより選択された画像データを画像ファイルデータベース１５３から読み出して、その画像を表示部１１に表示させる（ステップＴ１）。
【００４３】
次に、ＣＰＵ１８は、検知部１７によりユーザーからの入力が検知されたか否かを判定し（ステップＴ２）、検知されないと判定した場合には（ステップＴ２；Ｎｏ）、当該ステップＴ２を繰り返す。
【００４４】
ステップＴ２でユーザーからの入力が検知されたと判定した場合には（ステップＴ２；Ｙｅｓ）、ＣＰＵ１８は、画像内変化データ記憶領域１６１に記憶された画像内変化データＤのうち、ステップＴ１で読み出された画像データへのリンク情報を有するものを参照して、当該入力が上述のステップＳ４で設定された変化開始条件であるか否かを判定し（ステップＴ３）、当該入力は変化開始条件ではないと判定した場合には（ステップＴ３；Ｎｏ）、その他の処理へ移行する。
【００４５】
また、検知された入力が変化開始条件であると判定した場合には（ステップＴ３；Ｙｅｓ）、ＣＰＵ１８は、画像内変化データＤから当該変化開始条件に対応する変化領域Ｒ及びその変化態様を読み出して、表示部１１に表示させた画像内で、当該変化領域Ｒの当該変化態様での変化を開始させる（ステップＴ４）。
【００４６】
次に、ＣＰＵ１８は、画像内変化データＤを参照して変化領域Ｒの変化態様が反復動作であるか否かを判定し（ステップＴ５）、反復動作ではないと判定した場合には（ステップＴ５；Ｎｏ）、後述のステップＴ７へ移行する。
【００４７】
また、変化領域Ｒの変化態様が反復動作であると判定した場合には（ステップＴ５；Ｙｅｓ）、ＣＰＵ１８は、画像変化が開始されてから（ユーザーからの入力が検知されてから）の時間の経過に伴って、当該反復動作の反復移動幅を徐々に減少させる（ステップＴ６）。
【００４８】
次に、ＣＰＵ１８は、画像変化が開始されてから所定時間の経過後に、ステップＴ１で表示された元の静止画像を表示部１１に表示させ（ステップＴ７）、画像内変化実行処理を終了させる。
【００４９】
［３  動作例］
＜３．１  画像内変化登録処理の動作例＞
続いて、上述の画像内変化登録処理を具体的に説明する。
図７及び図８は、画像内変化登録処理での表示部１１の表示内容を示す図である。
【００５０】
まず、ユーザーが入力部１２を操作して、画像データを選択するとともに当該画像に対する画像内変化登録処理を開始させると、図７（ａ）に示すように、選択された画像データが画像ファイルデータベース１５３から読み出されて、その画像（静止画像）が表示部１１に表示される（ステップＳ１）。本動作例では、少年が肘を曲げて手の平を正面に向けている画像が表示される。
【００５１】
次に、変化領域設定処理が行われ（ステップＳ２）、画像内で少年の前腕が含まれるようにユーザーが矩形状の範囲の指定指示を入力すると（ステップＳ２１；Ｙｅｓ）、図７（ｂ）に示すように、指定された矩形の指定範囲Ｒ0が表示部１１に表示される（ステップＳ２２）。
【００５２】
次に、指定範囲Ｒ0の形状を楕円形に変更させる変更指示をユーザーが入力すると（ステップＳ２３；Ｙｅｓ）、図７（ｃ）に示すように、表示部１１に表示された指定範囲Ｒ0の形状が、矩形から当該矩形に近い形状の楕円形に変形される（ステップＳ２４）。この変形により、指定範囲Ｒ0は、より少年の前腕に一致した形状となる。
【００５３】
次に、ユーザーが指定範囲Ｒ0の回転指示を入力すると（ステップＳ２５；Ｙｅｓ）、図８（ａ）に示すように、表示部１１に表示された指定範囲Ｒ0が、入力された回転指示に基づいて回転する（ステップＳ２６）。ここでは、指定範囲Ｒ0が少年の前腕に沿って傾斜するように、楕円の中心を回転中心として約１０°回転させる。
【００５４】
次に、ユーザーが決定指示を入力すると（ステップＳ２７；Ｙｅｓ）、この時点での指定範囲Ｒ0が変化領域Ｒとして設定され（ステップＳ２８）、変化領域設定処理が終了する。
【００５５】
次に、画像内で少年の前腕が±２０°の角度範囲で回転動作するように、ユーザーが変化領域Ｒの変化態様を設定する（ステップＳ３）。具体的には、ユーザーが入力部１２を操作して、少年の肘を支点Ｆに指定するとともに２０°の角度範囲を入力すると、図８（ｂ）に示すように、支点Ｆを中心として変化領域Ｒ（少年の前腕）が２０°回転した状態の画像がプレビュー表示される。また、ここでは、ユーザーはこの変化態様を反復動作に設定する。
【００５６】
次に、ユーザーが、入力部１２を操作して変化開始条件として音声入力を選択するとともに、「おーい」という音声を検知部１７（音声センサ１７１）に検知させることにより、画像変化を開始させるための変化開始条件として「おーい」という音声入力が設定される（ステップＳ４）。
【００５７】
次に、ステップＳ１で選択された画像データと、ステップＳ２で設定された変化領域Ｒと、ステップＳ３で設定された変化態様と、ステップＳ４で設定された変化開始条件とが対応付けられて、これらに関する情報が画像内変化データＤとして画像内変化データ記憶領域１６１に記憶される（ステップＳ５）。
【００５８】
次に、ユーザーが画像内変化登録処理の終了指示を入力すると（ステップＳ６；Ｙｅｓ）、画像内変化登録処理が終了する。
【００５９】
＜３．２  画像内変化実行処理の動作例＞
続いて、上述の画像内変化実行処理を具体的に説明する。ここでは、上述の「３．１  画像内変化登録処理の動作例」で登録された画像変化を実行する際の動作について説明する。
図９及び図１０は、画像内変化実行処理での表示部１１の表示内容を示す図である。
【００６０】
まず、ユーザーが画像データを選択すると、図９（ａ）に示すように、選択された画像データが画像ファイルデータベース１５３から読み出されて、その画像（静止画像）が表示部１１に表示される（ステップＴ１）。ここでは、上述の「３．１  画像内変化登録処理の動作例」で画像変化が登録された画像が表示される。
【００６１】
次に、ユーザーによる「おーい」という音声入力が検知部１７（音声センサ１７１）により検知されると（ステップＴ２；Ｙｅｓ）、画像内変化データ記憶領域１６１に記憶された画像内変化データＤが参照されて当該音声入力が変化開始条件であると判定され（ステップＴ３；Ｙｅｓ）、この画像内変化データＤから当該音声入力（変化開始条件）に対応する変化領域Ｒ（少年の前腕部分）及びその変化態様（肘を支点Ｆとする±２０°の角度範囲での回転動作）が読み出されて、図９（ｂ），（ｃ）に示すように、表示部１１に表示された画像内で、少年の前腕が肘を支点Ｆとして±２０°の角度範囲で回転動作する変化が表示され（ステップＴ４）、あたかもユーザーに向かって少年が手を振るかのような動作が表示される。
【００６２】
次に、変化領域Ｒの変化態様が反復動作として設定されているため（ステップＴ５；Ｙｅｓ）、図１０（ａ）に示すように、画像変化が開始されてから（ユーザーからの入力が検知されてから）の時間の経過に伴って、画像内で少年の前腕の振れ幅が徐々に減少する（ステップＴ６）。
【００６３】
そして、画像変化が開始されてから所定時間の経過後に、あたかも少年が手を振る動作を自然に止めたかのように、ステップＴ１で表示された元の静止画像が表示部１１に表示され（ステップＴ７）、画像内変化実行処理が終了する。
【００６４】
［４  作用・効果］
以上のように、本実施形態の画像表示装置１によれば、図４のステップＳ２，Ｓ３や、図６のステップＴ２〜Ｔ４、及び図７〜図９等に示したように、表示部１１に表示される画像内の変化領域Ｒ及びその変化態様がユーザー操作に基づいて設定され、表示部１１に画像が表示されている間、ユーザーによる所定の入力が検知された場合に、画像内の変化領域Ｒがその変化態様で変化する。したがって、特定の画像についての変化領域やその変化態様といった画像の変化内容が予め決められていた従来と異なり、表示部１１に表示された画像をユーザーのアクション（入力）に反応させて、ユーザーが設定した変化内容で変化させることができる。これによりユーザーは、好きな画像での自由な画像変化を楽しむことができる。
【００６５】
また、図４のステップＳ５や、図６のステップＴ３等に示したように、変化領域Ｒ及びその変化態様と、ユーザーによる所定の入力とが対応付けて記憶され、表示部１１に画像が表示されている間、ユーザーによる所定の入力が検知された場合に、当該所定の入力に対応する変化領域Ｒ及びその変化態様が読み出されて、当該変化領域Ｒが当該変化態様で変化する。したがって、画像の変化内容をユーザーの入力ごとに対応付けて設定することができ、ユーザーのアクションに応じた複数の変化内容で画像を変化させることができる。
【００６６】
なお、本発明を適用可能な実施形態は、上述した実施形態に限定されることなく、本発明の趣旨を逸脱しない範囲で適宜変更可能である。
【００６７】
例えば、上記実施形態では、画像表示装置１をデジタルフォトフレームとして説明したが、本発明が適用可能なものは、デジタルフォトフレーム等に限定されず、携帯電話、パソコン、ＰＤＡ（Ｐｅｒｓｏｎａｌ  Ｄｉｇｉｔａｌ  Ａｓｓｉｓｔａｎｔ）、ゲーム機、デジタルカメラなどの電子機器全般に適用可能である。また、本発明に係るプログラム（画像内変化登録プログラム１５１及び画像内変化実行プログラム１５２）は、画像表示装置１に対して着脱可能なメモリカード、ＣＤ等に記憶されることとしてもよい。
【００６８】
また、画像変化を開始させるためのユーザーからの所定の入力（変化開始条件）は、検知部１７によって検知されるものでなくともよく、タッチパネル１２２へのタッチ操作としてもよい。
【符号の説明】
【００６９】
１          画像表示装置
１１        表示部
１２        入力部
１５        ＲＯＭ
１６        ＲＡＭ
１７        検知部
１８        ＣＰＵ
１５１      画像内変化登録プログラム
１５２      画像内変化実行プログラム
１６１      画像内変化データ記憶領域
Ｄ          画像内変化データ
Ｒ          変化領域
【図１】
2012138035.tif 000003
【図２】
2012138035.tif 000004
【図３】
2012138035.tif 000005
【図４】
2012138035.tif 000006
【図５】
2012138035.tif 000007
【図６】
2012138035.tif 000008
【図７】
2012138035.tif 000009
【図８】
2012138035.tif 000010
【図９】
2012138035.tif 000011
【図１０】
2012138035.tif 000012